(57)【要約】【課題】  メモリーカードの種類が増えれば増えるほど、電子機器に設けなくてはならないカードスロットの数が増し、このためコストのアップの要因、機器の大型化の原因となってしまう。【解決手段】  外形形状の異なる複数のメモリーカードを装着するカードコネクタと、複数のメモリーカードの電気的仕様が同じ信号線が接続され、複数のメモリーカードを装着するカードコネクタの端子同士が、共通に接続されている。【選択図】  図１
2005115761.tif 000002
【特許請求の範囲】
【請求項１】
電子機器に装着するためのコネクタプラグを有し、インターフェース信号の電気的仕様が同一で、外形形状の異なる複数のメモリーカードを装着可能なメモリーカードアダプタであって、
前記外形形状の異なる複数のメモリーカードを装着するカードコネクタと、
前記複数のメモリーカードの電気的仕様が同じ信号線が接続され、前記複数のメモリーカードを装着するカードコネクタの端子同士が、前記コネクタプラグの所定の端子に共通に接続されていることを特徴とするメモリーカードアダプタ。
【請求項２】
前記コネクタプラグは、コンパクトフラッシュ（登録商標）カード用のスロットに挿入可能な形状であって、コンパクトフラッシュ（登録商標）カードのインターフェース信号のうち、カードの出力信号でかつアクティブロウの信号が割当てられている端子に対応するコネクタプラグの端子部と該コネクタプラグのグランド端子と信号線で接続されていることを特徴とする請求項１に記載のメモリーカードアダプタ。
【請求項３】
前記メモリーカードは、スマートメディアとｘＤピクチャーカードでありことを特徴とする請求項１に記載のメモリーカードアダプタ。
【発明の詳細な説明】
【技術分野】
【０００１】
本発明は、電子機器にメモリーカードを装着する際に、外形形状やインターフェース信号を変換するためのメモリーカードアダプタに関するものである。
【背景技術】
【０００２】
近年、デジタルカメラの普及によりデジタルカメラで使用するメモリーカードを読み書きする電子機器（電子装置）が各種開発されている。また、デジタルカメラで使用するメモリーカードには外形形状やインターフェース仕様の異なる、コンパクトフラッシュ（登録商標）カード、スマートメディア、ｘＤピクチャーカード、スマートメディア、ＳＤカード等の多種のメモリーカードが使用されている。
【０００３】
このようなメモリーカードの読み書きを行う電子装置においては、外形形状やインターフェース信号の異なるメモリーカードを装着可能とするため、それぞれ対応するメモリーカード用のカードスロットが設けられている。
【０００４】
また、最近開発されたｘＤピクチャーカードは、従来のスマートメディアとインターフェース信号は互換があるものの、カードの外形形状が異なるため、この二つのメモリーカードに対応するためには、２種類のカードスロットが必要になる。
【特許文献１】特開２００３−２５０１２６号公報。
【発明の開示】
【発明が解決しようとする課題】
【０００５】
しかしながら、上述したように、対応するメモリーカードの種類が増えれば増えるほど、電子装置に設けなくてはならないカードスロットの数が増し、このためコストのアップの要因、装置の大型化の原因となってしまう。
【０００６】
また、スマートメディアとｘＤピクチャーカードはインターフェースの電気的な仕様は同じものの互いに外形が異なるため、それぞれカードスロットを装置に設けなくてはならない。
【課題を解決するための手段】
【０００７】
上記問題点に鑑み、本発明では。電子機器に装着するためのコネクタプラグを有し、インターフェース信号の電気的仕様が同一で、外形形状の異なる複数のメモリーカードを装着可能なメモリーカードアダプタであって、
前記外形形状の異なる複数のメモリーカードを装着するカードコネクタと、
前記複数のメモリーカードの電気的仕様が同じ信号線が接続され、前記複数のメモリーカードを装着するカードコネクタの端子同士が、前記コネクタプラグの所定の端子に共通に接続されている。
【発明の効果】
【０００８】
以上説明したように、インターフェース信号の電気的仕様が同一で、外形形状の異なる複数のメモリーカードを一つのアダプタで集約でき、装置にはアダプタを挿入するためのスロットを一つ設けるのみで良くなる。
【０００９】
また、アダプタの装置へ装着するためのコネクタプラグを、コンパクトフラッシュ（登録商標）カード用のカードスロットに挿入可能な形態とすることで、さらにコンパクトフラッシュ（登録商標）用スロットに集約可能となる。
【発明を実施するための最良の形態】
【００１０】
（実施の形態）
図１を用いて具体的に説明をする。１００は本発明のカードアダプタに対応した装置のメモリーカード制御部を表す。ここには、１０１で示すコンパクトフラッシュ（登録商標）カード用カードスロットが設けられており、１０２はコンパクトフラッシュ（登録商標）カードを挿入したときにインターフェース信号を取り出すための接続ピンである。
【００１１】
また、１０３はメモリーカードアクセスコントローラであり、本実施形態ではコンパクトフラッシュ（登録商標）及びスマートメディア、ｘＤピクチャーカードのアクセスを制御するものであり、前記カードスロットの接続ピンと１０４のメモリーカードインターフェース信号バスで接続されている。
【００１２】
１０５は接続ピンの中で、コンパクトフラッシュ（登録商標）カードが挿入された時にグランド電位を供給するためのグランドピンである。また、１０６はコンパクトフラッシュ（登録商標）インターフェース信号の中のアクティブロウ出力をする信号線であり、１０３のメモリーカードアクセスコントローラに接続されており、該コントローラはこの信号がハイ又はロウのどちらであるかを認識可能な機能を有している。
【００１３】
１１０はコンパクトフラッシュ（登録商標）カードのスロットに挿入可能なメモリーアダプタであり、１１２のスマートメディア装着用のカードスロットと、１１４のｘＤピクチャーカード装着用のカードスロットを上下２段に配備している。
【００１４】
１１３はスマートメディア接続用コネクタ端子であり、１１５はｘＤピクチャーカード接続用コネクタ端子である。
【００１５】
また、１１６はスマートメディアとｘＤピクチャーカードの電気的仕様が同じ信号の端子同士を接続する内部配線であり、それぞれのコネクタ端子間を接続している。この図ではそれぞれ５つの端子が接続されている。
【００１６】
１１７はスマートメディアとｘＤピクチャーカードの端子を前記メモリーカードアダプタのコネクタプラグと接続するための内部配線である。この図では、それぞれ５つの端子が接続されている。この配線により、前記スマートメディアとｘＤピクチャーカードの共通するインターフェース信号は、それぞれメモリーカードアダプタのコネクタプラグに割り付けられている構成を成している。
【００１７】
１０７はコンパクトフラッシュ（登録商標）カードのグランド電位を供給するグランド端子で、本アダプタを装置に挿入すると、装置からこの端子にグランド電位が供給される。また、１０８はコンパクトフラッシュ（登録商標）インターフェース信号内のアクティブロウを出力信号に割り付けられている端子で、１０９はこの端子１０７と端子１０８とを接続する信号線である。
【００１８】
この構成により、通常のコンパクトフラッシュ（登録商標）カードが装置に挿入されていて非アクティブ時は１０６の信号のレベルは“ハイ”レベルであり、本メモリーカードアダプタが装置に挿入されている時は“ロウ”レベルとなることから、１０３のメモリーカードアクセスコントローラでは、通常のコンパクトフラッシュ（登録商標）カードが装着されているのか、本アダプタが装着されているのかを判別可能であり、メモリーアクセスコントローラはそれぞれのメモリーメディアの種類に応じたアクセスを行う構成となっている。
【００１９】
なお、ここでは説明していないが、コンパクトフラッシュ（登録商標）カードのインターフェース信号の中には、カードが挿入されたことを検出するための信号（ＣＤ１Ｘ，ＣＤ２Ｘ）が用意されており、本メモリーカードアダプタもこの信号を装備している。この信号を１０３のメモリーカードアクセスコントローラにて検出することにより、コンパクトフラッシュ（登録商標）カード又は本アダプタが挿入されたことを検知し、その後に１０１のカードスロットに電源を供給し、１０６の信号のレベルによりどちらが装着されているかを検知することになる。
【００２０】
図２は、本発明に係る電子機器（装置）の一例として、プリンタ１０００の概観斜視図である。本実施形態のプリンタは、パーソナルコンピュータ（ＰＣ）等のホスト機器からデータを受信して記録を実行する、通常のＰＣプリンタとしての機能と、メモリカードなどの記憶媒体に格納されている画像データを直接読み取って記録を実行する、ダイレクトプリンタとしての機能とを備えている。
【００２１】
図２において、プリンタ１０００の外殻をなす本体は、下ケース１００１、上ケース１００２、アクセスカバー１００３及び排出トレイ１００４の外装部材を有している。また、排紙トレイ１００４には、２枚の補助トレイ１００４ａ，１００４ｂが収納されており、必要に応じて各トレイを手前に引き出すことにより、排出された記録媒体の支持面積を３段階に拡大、縮小させ得るようになっている。
【００２２】
アクセスカバー１００３は、その一端部が上ケース１００２に回転自在に保持され、上面に形成される開口部を開閉し得るようになっており、このアクセスカバー１００３を開くことによって本体内部に収納されている記録ヘッドカートリッジ（不図示）あるいはインクタンク（不図示）等の交換が可能となる。
【００２３】
また、上ケース１００２の上面には、電源キー１００５が押下可能に設けられている。上ケース１００２の右側には、液晶表示部１００６や各種キースイッチ等を備える操作パネル１０１０が設けられている。１００７は自動給送部で、シート状の記録媒体を装置本体内へと自動的に給送する。１００８は紙間選択レバーで、プリントヘッドと記録媒体との間隔を調整するためのレバーである。
【００２４】
上ケース１００２の左側にはカードスロット部１００９が設けられており、上述したメモリアダプタが挿入可能である。そして、本実施形態のプリンタは、上述したメモリカードに記憶されているデータを読み出し、記録を行うことができる。
【００２５】
１０１１はビューワ（液晶表示部）で、この装置本体に着脱可能であり、メモリカードに格納されている画像の中からプリントしたい画像を検索する場合などに、１コマ毎の画像やインデックス画像などを表示するのに使用される。１０１３は、ホスト機器を接続するためのＵＳＢバスコネクタを示す。
【００２６】
（その他の実施の形態）
以上、メモリーカードアダプタ及び電子機器（装置）について説明したが、電子機器はプリンタに限定するものではない。携帯端末（ＰＤＡや携帯電話）やデジタルカメラ等にメモリカードにデータを記憶する機器に適用可能である。
【図面の簡単な説明】
【００２７】
【図１】本発明の実施形態のメモリーカードアダプタ及び装置を示す図
【図２】本発明の実施形態の記録装置の概観斜視図を示す図
【符号の説明】
【００２８】
１００  本発明のカードアダプタに対応した装置のメモリーカード制御部
１０１  コンパクトフラッシュ（登録商標）カード用メモリーカードスロット
１０２  コンパクトフラッシュ（登録商標）カード接続コネクタピン
１０３  メモリーカードアクセスコントローラ
１０４  メモリーカードインターフェース信号バス
１０５  コンパクトフラッシュ（登録商標）カードにグランド電位を供給するグランドピン
１０６  コンパクトフラッシュ（登録商標）インターフェース信号内のアクティブロウ出力信号
１０７  コンパクトフラッシュ（登録商標）カードのグランド電位を供給するグランド端子に割り付けられている端子
１０８  コンパクトフラッシュ（登録商標）インターフェース信号内のアクティブロウ出力信号に割り付けられている端子
１０９  コンパクトフラッシュ（登録商標）カードの、グランド電位を供給するグランド端子に割り付けられている端子と、コンパクトフラッシュ（登録商標）インターフェース信号内のアクティブロウ出力信号に割り付けられている端子を接続する内部配線
１１０  本発明によるコンパクトフラッシュ（登録商標）カードのスロットに装着可能なメモリーカードアダプタ
１１１  本発明によるメモリーカードアダプタのコネクタプラグ
１１２  スマートメディア装着用スロット
１１３  スマートメディア接続コネクタ端子
１１４  ｘＤピクチャーカード装着用スロット
１１５  ｘＤピクチャーカード接続コネクタ端子
１１６  スマートメディアとｘＤピクチャーカードの電気的仕様の同じ信号の端子同士を接続するための配線
１１７  スマートメディアとｘＤピクチャーカードの端子をメモリーカードアダプタのコネクタプラグに接続するための配線
【図１】
2005115761.tif 000003
【図２】
2005115761.tif 000004